(57)【特許請求の範囲】
【請求項１】
単数あるいは複数の装置部品に備えられ、該装置部品を加熱するためのヒータと、前記装置部品に備えられ、前記装置部品の温度に応じた出力を行うサーミスタと、前記ヒータを冷却するためのファンと、前記ヒータに電力を供給するための電力供給手段と、前記サーミスタの断線を検知する断線検知手段と、装置の立ち上げ完了後に、該断線検知手段により前記サーミスタの断線が検知された際に、不揮発性メモリに前記サーミスタの断線情報を記憶させるメモリ制御手段と、を有して成る画像形成装置において、
装置の電源投入時に、前記不揮発性メモリに前記サーミスタの断線情報が記憶されている場合には、自己診断として、前記ファンを第１の所定時間駆動させた後、第２の所定時間の間、前記電力供給手段に所定のデューティ比で前記ヒータに電力を供給させながら、前記断線検知手段に前記サーミスタの断線を検知させる自己診断制御手段と、前記自己診断時に前記断線検知手段により前記サーミスタの断線が検知されない場合には、装置の立ち上げ動作に移行させる制御手段と、所定の情報を表示するための表示部と、を有して成り、
前記メモリ制御手段は、前記自己診断時に前記断線検知手段により前記サーミスタの断線が検知された場合には、前記不揮発性メモリに前記自己診断の回数を積算して記憶させ、
前記制御手段は、装置の電源投入時に、前記不揮発性メモリに記憶された前記自己診断の回数が、所定の回数に到達している場合には、前記自己診断制御手段に前記自己診断を行わせずに、前記サーミスタが断線している旨を前記表示部に表示させることを特徴とする画像形成装置。
【発明の詳細な説明】
【技術分野】
【０００１】
本発明は、複写機、プリンタ、ファクシミリ等の画像形成装置に関するものであり、特に、その装置部品の温度検知に用いられるサーミスタの断線検知後における装置立ち上げ技術に関するものである。
【背景技術】
【０００２】
従来より、画像形成装置において、測定物の温度に応じた出力を行うサーミスタが、例えば、ヒータで加熱される定着ローラ（加熱ローラ）の温度検知に利用されている。
【０００３】
そのサーミスタの断線時にアナログ・デジタル変換された値（以下、ＡＤ値と呼ぶ）が０となるサーミスタを備えている画像形成装置おいて、装置電源投入時にサーミスタの断線検知が行われる際に、理論的にはＡＤ値が０となった時点でサーミスタの断線と判定されるように設定されていてもよい。しかしながら、実際にはサーミスタが断線した場合でも、ＡＤ値は０にはならず、０に近い値で変動してしまう。しかも、低温環境下では限りなくＡＤ値が０に近づくため、それがサーミスタの断線によるものなのか、それとも低温環境によるものなのかの判断をすることができなかった。
【０００４】
この問題を解決するものとして、装置電源投入後に行われる通常の装置立ち上げ動作中に、所定の時間ヒータをＯＮしてもサーミスタのＡＤ値が０近傍の値から変化しないときには、サーミスタの断線と判定してサーミスタ断線エラーを報知することが可能な画像形成装置が知られている。
【０００５】
上記の画像形成装置においては、装置電源投入後にヒータの温度が低く、サーミスタが断線している場合でも、所定の時間ヒータがＯＮされてサーミスタの断線を検知することが可能であるので、ヒータの温度は装置部品（例えば、定着ローラ（加熱ローラ））に不具合を与えるほど高温にならないため、温度上昇による装置およびユーザへの危険性は小さい。
【０００６】
しかし、最近、画像形成装置の立ち上げ時間を短縮することが要求されており、装置電源が投入されると、直ちにヒータをＯＮして所定の時間サーミスタのＡＤ値が０近傍の値から変化しない場合には、サーミスタの断線と判定してサーミスタ断線エラーを報知することが可能な画像形成装置が知られている。また、装置電源が投入されると、直ちに所定の時間デューティ比１００％でヒータを制御しながら、サーミスタのＡＤ値が０近傍の値から変化しないときには、サーミスタの断線と判定してサーミスタ断線エラーを報知することが可能な画像形成装置が知られている。
【０００７】
しかしながら、サーミスタ断線エラーが報知されているにもかかわらず、ユーザにより装置電源のＯＦＦ／ＯＮが何度も繰り返されると、ヒータの温度が限りなく上昇してしまい大変危険である。
【０００８】
このような問題の解決に関係する先行技術文献として、装置電源がオフされても、装置稼動中に生成された自己診断結果のデータを保持し、装置電源再投入時に保持されている自己診断データに応じて装置の可動許可を制御し、故障時における被害を最小限に止めることが可能な画像形成装置が開示・提案されている（例えば、特許文献１および特許文献２を参照）。
【特許文献１】特開平８−５２９２４号公報
【特許文献２】特公平７−７３９３９号公報
【発明の開示】
【発明が解決しようとする課題】
【０００９】
確かに、特許文献１および特許文献２に開示された画像形成装置であれば、装置稼動中にサーミスタの断線が検知された際に、そのサーミスタの断線の結果に対応したフラグが不揮発性記憶手段に記憶され、その後サービスマンによってそのフラグがスイッチでリセットされない限り装置電源再投入時にヒータに通電動作が行われないため、ユーザによって装置電源のＯＦＦ／ＯＮが何度も繰り返されても、ヒータの温度上昇を防止することができる。
【００１０】
しかしながら、特許文献１および特許文献２に開示された画像形成装置は、サービスマンによって不揮発性記憶手段に記憶されたサーミスタの断線の結果に対応したフラグがスイッチでリセットされると、装置電源投入時に、サービスマンによりサーミスタの修理がされていてもいなくても無条件にヒータに通常の通電が行われてしまうため、サービスマンによりサーミスタの修理が行われていない場合には、ヒータの温度が正確に測定されないままヒータの制御が行われてヒータが異常に高温になってしまうことがあり、大変危険である。また、サービスマンが断線を修理したつもりでも、他の箇所のサーミスタが断線していることや、ＡＤ値自体が間違った値である可能性もあるため、上記と同様に、ヒータの温度が正確に測定されないままヒータの制御が行われてヒータが異常に高温になってしまうことがあり、大変危険である。このようなことから、装置電源投入時のヒータの制御に対して改善の余地があった。また、特許文献１および特許文献２に開示された画像形成装置は、新たにスイッチを備える必要があるため、装置コストが増加してしまう。
【００１１】
本発明は、上記の問題点に鑑み、装置コストが増加することなく、装置電源の再投入時にヒータが異常に高温にならず安全に装置を立ち上げることが可能な画像形成装置を提供することを目的とする。
【課題を解決するための手段】
【００１２】
上記目的を達成するために、本発明に係る画像形成装置は、単数あるいは複数の装置部品に備えられ、該装置部品を加熱するためのヒータと、前記装置部品に備えられ、前記装置部品の温度に応じた出力を行うサーミスタと、前記ヒータを冷却するためのファンと、前記ヒータに電力を供給するための電力供給手段と、前記サーミスタの断線を検知する断線検知手段と、装置の立ち上げ完了後に、該断線検知手段により前記サーミスタの断線が検知された際に、不揮発性メモリに前記サーミスタの断線情報を記憶させるメモリ制御手段と、を有して成り、装置の電源投入時に、前記不揮発性メモリに前記サーミスタの断線情報が記憶されている場合には、自己診断として、前記ファンを第１の所定時間駆動させた後、第２の所定時間の間、前記電力供給手段に所定のデューティ比で前記ヒータに電力を供給させながら、前記断線検知手段に前記サーミスタの断線を検知させる自己診断制御手段と、前記自己診断時に前記断線検知手段により前記サーミスタの断線が検知されない場合には、装置の立ち上げ動作に移行させる制御手段と、を有して成る構成とされている。このような構成とすることにより、装置電源のＯＦＦ／ＯＮが繰り返されても、装置を安全に立ち上げることが可能となる。また、新たなスイッチを追加する必要なく、装置を安全に立ち上げることが可能となるため、装置コストの上昇を防ぐことが可能となる。
【００１３】
また、上記構成から成る画像形成装置は、所定の情報を表示するための表示部を有して成り、前記メモリ制御手段は、前記自己診断時に前記断線検知手段により前記サーミスタの断線が検知された場合には、前記不揮発性メモリに前記自己診断の回数を積算して記憶させ、前記制御手段は、装置の電源投入時に、前記不揮発性メモリに記憶された前記自己診断の回数が、所定の回数に到達している場合には、前記自己診断制御手段に前記自己診断を行わせずに、前記サーミスタが断線している旨を前記表示部に表示させる構成とされている。このような構成とすることにより、装置電源のＯＦＦ／ＯＮが繰り返されても、ヒータの温度が上昇することなく、ユーザにサーミスタの断線を知らせることができる。
【発明の効果】
【００１４】
上記したように、本発明に係る画像形成装置であれば、装置コストが増すことなく、装置を安全に立ち上げることが可能になる。
【発明を実施するための最良の形態】
【００１５】
以下では、本発明を複写機に適用した場合を例に挙げて説明を行う。また、本実施形態では、本発明に係る複写機の定着ローラ（加熱ローラ）にサーミスタおよびヒータが備えられている場合を例に挙げて説明を行う。図１は本発明に係る複写機の要部構成を示すブロック図であり、図２は本発明に係る複写機の要部構造を模式的に示す縦断面図である。
【００１６】
両図に示すように、本実施形態の複写機１は、装置全体の動作を制御する中央演算処理装置１０（以下、ＣＰＵ［Central Processing Unit］１０と呼ぶ）と、原稿を自動搬送する原稿搬送部１１と、原稿搬送部１１から搬送された原稿を取り込んで画像データを生成する原稿取込部１２と、操作手段（テンキーやタッチパネルなど）と表示手段（液晶ディスプレイなど）から成る操作表示部１３と、画像データに基づいて用紙へトナー像の形成を行う画像形成部１５と、画像形成部１５への用紙の搬送や装置からの用紙の排出を行う用紙搬送部１４と、画像形成部１５により用紙に形成されたトナー像を用紙へ定着させる定着部１８と、装置電源をＯＮ／ＯＦＦするための電源スイッチ１７と、後述のヒータ１８１およびサーミスタ１８２を冷却するためのファン１６と、サーミスタ１８２から入力されたアナログ出力をデジタルに変換して、ＣＰＵ１０にデジタル値（以下、ＡＤ値と呼ぶ）を入力するアナログ・デジタル変換部１９（以下、Ａ／Ｄ部１９と呼ぶ）と、各種制御プログラム、サーミスタ１８２の断線情報および自己診断モードの回数等の記憶、およびワーク領域に用いられるメモリ部２０と、を有して成る。
【００１７】
ＣＰＵ１０は、装置全体の動作を制御するほか、後ほど詳細に説明するサーミスタの断線検知後における装置の再立ち上げに関する制御を行う。また、ＣＰＵ１０は、サーミスタの断線を検知する断線検知手段と、不揮発性メモリ（本実施形態では、ＥＥＰＲＯＭ）の制御を行うメモリ制御手段と、自己診断を行う際の制御を行う自己診断制御手段と、しての役割を担う。
【００１８】
用紙搬送部１４は、画像形成部１５への給紙元となる複数段（本実施形態では３段）の用紙収納部１４１ａ〜１４１ｃと、各用紙収納部１４１ａ〜１４１ｃから画像形成部１５への共通した用紙搬送経路となる給紙部１４２と、印刷済みの用紙を装置外に向けて排出する排出ローラ１４３と、を有して成る。
【００１９】
また、給紙部１４２は、各用紙収納部１４１ａ〜１４１ｃからレジストローラ１４２ａまで用紙を搬送する一対のローラからなる複数の給紙ローラ１４２ｂと、給紙ローラ１４２ｂから搬送されてきた用紙の先端の向きを整え、画像形成部１５の動作に合わせて画像形成部１５に用紙を搬送するレジストローラ１４２ａと、を有して成る。
【００２０】
画像形成部１５は、図２に示すように、画像データに基づいてトナー像がドラム表面に形成される潜像担持体の感光ドラム１５１と、感光ドラム１５１の表面を所定の電位に均一に帯電させる帯電器１５４と、画像データに基づいてレーザ光を照射して静電潜像を感光ドラム１５１の表面に形成する露光ユニット１５３と、感光ドラム１５１の表面の静電潜像からトナー像を感光ドラム１５１の表面に形成する現像器１５２と、感光ドラム１５１の表面に形成されたトナー像を搬送されてきた用紙に静電的に転写する転写ローラ１５７と、感光ドラム１５１の表面に残留したトナーを除去するクリーニング部１５６と、感光ドラム１５１の表面の除電を行う除電器１５５と、を有して成る。
【００２１】
定着部１８は、図１および図２に示すように、後述の定着ローラ１８３（すなわち、加熱ローラ）の回転軸（不図示）の外周に備えられ、定着ローラ１８３を加熱するヒータ１８１と、ヒータ１８１によりトナー像の用紙への定着処理に最適な温度に加熱され、後述の加圧ローラ１８４と当接して、画像形成部１５から搬送されてきた用紙を加熱および加圧する定着ローラ１８３と、定着ローラ１８３と当接して、画像形成部１５から搬送されてきた用紙を加圧する加圧ローラ１８４と、定着ローラ１８３に接触して備えられ、定着ローラ１８３の温度に応じたアナログの出力をＡ／Ｄ部１９に入力するサーミスタ１８２と、を有して成る。
【００２２】
メモリ部２０は、図１に示すように、各種制御プログラムや各種閾値等が格納されたＲＯＭ［Read Only Memory］２０１と、ワーク領域として用いられるＲＡＭ［Random Access Memory］２０２と、サーミスタ１８２の断線に関する情報の記憶および後述する自己診断モードの回数Ｉの記憶に用いられる書き換え可能な不揮発性メモリのＥＥＰＲＯＭ[Electronically Erasable and Programmable Read Only Memory]２０３と、を有して成る。
【００２３】
次に、上記構成から成る複写機１における原稿複写動作について説明する。本実施形態の複写機１における原稿複写動作では、まず原稿搬送部１１から原稿取込部１２に原稿が搬送されると、原稿取込部１２による該原稿の取り込みが行われ、画像データの生成が行われる。生成された画像データは、一旦メモリ部２０に格納された後、再び読み出されて画像形成部１５に送出される。続いて、画像形成部１５では、画像形成処理が開始され、帯電器１５４により所定の電位に均一に帯電された感光ドラム１５１の表面に、画像データに基づいて露光ユニット１５３によって静電潜像が作られる。続いて、現像器１５２によりこの静電潜像からトナー像が感光ドラム１５１の表面に形成される。感光ドラム１５１の表面に形成されたトナー像は、転写ローラ１５７により用紙収納部１４１ａ〜１４１ｃのうちいずれかから給紙部１４２よって搬送されてきた用紙に転写される。
【００２４】
その後、未定着トナー像を担持した用紙は、定着部１８へと送られ、定着部１８で加熱および加圧されてトナー像が用紙に定着された後、排出ローラ１４３により排紙される。また、感光ドラム１５１の表面に残留したトナーが、クリーニング部１５６により除去された後、感光ドラム１５１の表面が、除電器１５６により除電される。なお、図２の実線矢印は、用紙の搬送経路を示す。
【００２５】
また、本実施形態の複写機１では、装置立ち上げ完了後に、定着ローラ１８３に備えられたヒータ１８１の制御が以下のように行われる。本実施形態の複写機１では、サーミスタ１８２からアナログの出力がＡ／Ｄ部１９に入力されてデジタル値（ＡＤ値）に変換される。Ａ／Ｄ部１９からＡＤ値がＣＰＵ１０に入力される。ＡＤ値とＲＯＭ２０１に格納された制御プログラムに基づいてＣＰＵ１０により、定着ローラ１８３が適正な温度になるように、電力供給部（不図示）からヒータ１８１にデューティ制御された電力が供給される。このような制御が繰り返されて、定着ローラ１８３が適正な温度になるように、定着ローラ１８３に備えられたヒータ１８１の制御が行われる。
【００２６】
このとき、ヒータ１８１に電力供給部（不図示）から電力が供給されているにもかかわらず、ＣＰＵ１０により、所定の時間（例えば、１秒）サーミスタ１８２のＡＤ値が所定の閾値（例えば、５）よりも小さいと判断される場合には、サーミスタ１８２の断線と判定され、ＥＥＰＲＯＭ２０３の予め設定された記憶領域のフラグが「０」から「１」にセットされる。なお、ＥＥＰＲＯＭ２０３にセットされたフラグ「１」がサーミスタ１８２の断線情報に相当する。また、ＣＰＵ１０により、サーミスタ１８２のＡＤ値が所定の閾値（例えば、５）よりも大きいと判断される場合には、サーミスタ１８２は断線していないと判断され、ＥＥＰＲＯＭ２０３の予め設定された記憶領域のフラグは「０」のままである。
【００２７】
なお、本実施形態の複写機１は、装置電源投入時にヒータ１８１が異常高温にならないように実施されるサーミスタ１８２の断線検知の制御に特徴を有している。そこで、以下では、図３のフローチャートを参照しながら、本実施形態の複写機１における装置電源投入時にヒータ１８１が異常高温にならないように実施されるサーミスタ１８２の断線検知の制御についての詳細な説明を行う。
【００２８】
本実施形態の複写機１では、ステップＳ３−１で、電源スイッチ１７が押下されて、装置電源が投入されると、ステップＳ３−２で、ＣＰＵ１０により、ＥＥＰＲＯＭ２０３に以前にサーミスタの断線が発生したことを示すフラグ「１」が設定されているかチェックされる。ＣＰＵ１０により、ＥＥＰＲＯＭ２０３に以前にサーミスタの断線が発生したことを示すフラグ「１」が設定されていると判定される場合には（Ｓ３−２ＹＥＳ）、ステップＳ３−３に進む。また、ＣＰＵ１０により、ＥＥＰＲＯＭ２０３に以前にサーミスタの断線が発生したことを示すフラグ「１」が設定されていないと判定される場合には（Ｓ３−２ＮＯ）、ステップＳ３−４で、複写機１の通常の立ち上げ動作が実施される。なお、ステップＳ３−４で実施される複写機１の通常の立ち上げ動作において、定着ローラ１８３を加熱する必要がある場合には、ヒータ１８１には、ＣＰＵ１０の制御により、後述のステップＳ３−９のよりもＯＮ時間の長いデューティパターン（例えば、デューティ１００％）で電力供給部（不図示）から電力が供給される。
【００２９】
続いて、ステップＳ３−３で、ＡＤ値が０近傍の値であるか判断するために、ＣＰＵ１０に入力されたＡＤ値とＲＯＭ２０１に記憶された所定の閾値（例えば、５）比較される。そして、ＣＰＵ１０により、ＡＤ値が所定の閾値（例えば、５）未満でないと判定される場合には（Ｓ３−３ＮＯ）、ステップＳ３−５で、ＥＥＰＲＯＭ２０３に記憶されているフラグが「１」から「０」にクリアされた後、ステップＳ３−４で、複写機１の通常の立ち上げ動作が実施される。
【００３０】
また、ステップＳ３−３で、ＣＰＵ１０により、ＡＤ値が所定の閾値（例えば、５）未満であると判定される場合には（Ｓ３−３ＹＥＳ）、ステップＳ３−６で、ＣＰＵ１０により、自己診断モードが開始され、ＥＥＰＲＯＭ２０３に記憶された後述する自己診断モードを連続して行われた回数Ｉが、ＲＯＭ２０１に記憶されている所定の閾値（例えば、３回）と比較される。ＣＰＵ１０により、その回数Ｉが所定の閾値（例えば、３回）未満でないと判定される場合には（Ｓ３−６ＮＯ）、ヒータ１８１に電力が供給されることなく、自己診断モードは行われずに、ステップＳ３−７で、ＣＰＵ１０により、操作表示部１３にサーミスタ１８２の断線エラーが表示される。
【００３１】
また、ステップＳ３−６で、ＣＰＵ１０により、自己診断モードが開始され、後述の自己診断モードを連続して行った回数Ｉが所定の閾値（例えば、３回）未満であると判定される場合には（Ｓ３−６ＹＥＳ）、ステップＳ３−８で、ＣＰＵ１０により、ファン１６が第１の所定時間（例えば、３０秒）の間、全速で駆動される。これは、前回の装置電源投入時にヒータ１８１および定着ローラ１８３が高温になってしまい、サーミスタ１８２によって正確な定着ローラ１８３の温度を検知できていない可能性があるため、ヒータ１８１および定着ローラ１８３の温度を低下させている。また、ファン１６を駆動させることにより、ヒータ１８１および定着ローラ１８３の温度が低下するため、装置電源投入時における装置の安全性を向上させることができる。
【００３２】
続いて、ステップＳ３−９で、ＣＰＵ１０により、電力供給部（不図示）が制御されて、電力供給部（不図示）からヒータ１８１に、定着処理時より（通常時より）もＯＮ時間の短い、低デューティパターン（デューティ比）で電力が供給されて、ヒータ１８１の制御が開始される。
【００３３】
続いて、ステップＳ３−１０で、第２の所定時間（例えば、５秒）の間、低デューティパターン（デューティ比）でヒータ１８１に電力が供給されながら、サーミスタ１８２の断線検知を行うため、ＣＰＵ１０により、ＡＤ値のサンプリングが行われる。このとき、ステップＳ３−１０において、通常より低いデューティパターン（デューティ比）を用いてヒータ１８１の制御が行われており、ヒータ１８１および定着ローラ１８３の温度が上がりすぎる危険性がないため、第２の所定時間は、装置立ち上げ完了後におけるサーミスタ１８２の断線検知の時間よりも長く設定されている。
【００３４】
続いて、ステップＳ３−１１で、ＣＰＵ１０により、ステップＳ３−１０においてサンプリングされたＡＤ値が所定の閾値（例えば、５）と比較され、そのＡＤ値が所定の閾値（例えば、５）未満である場合には、サーミスタ１８２が修復されて断線していないと判定され（Ｓ３−１１ＮＯ）、ステップＳ３−１２で、サーミスタ１８２は修復されて断線していないため、ＣＰＵ１０により、ＥＥＰＲＯＭ２０３に記憶されたフラグが「１」から「０」にクリアされる。
【００３５】
続いて、ステップＳ３−１３で、ＣＰＵ１０により、自己診断モードの回数Ｉが初期化（０にされる）されて、自己診断モードが終了し、ステップＳ３−４で、複写機１の通常の立ち上げ動作が実施される。
【００３６】
また、ステップＳ３−１１で、ＣＰＵ１０により、ステップＳ３−１０においてサンプリングされたＡＤ値が所定の閾値（例えば、５）と比較され、そのＡＤ値が所定の閾値（例えば、５）未満である場合には、サーミスタ１８２が断線していると判定され（Ｓ３−１１ＹＥＳ）、ステップＳ３−１４で、ＣＰＵ１０により、自己診断モードの回数Ｉが１カウントアップされて、ＥＥＰＲＯＭ２０３に記憶される。そして、ステップＳ３−７で、ＣＰＵ１０により、操作表示部１３にサーミスタ１８２の断線エラーが表示され、自己診断モードが終了となる。
【００３７】
以上で説明したように、本実施形態の複写機１は、装置立ち上げ完了後にサーミスタ１８２の断線が検知されて、電源スイッチ１７がＯＦＦ／ＯＮされた場合に、完全にサーミスタ１８２が直っていると判断されないかぎり、通常の立ち上げ動作に移行して通常のＯＮ時間の長いデューティパターン（デューティ比）でヒータ１８１に電力が供給されない構成であるため、電源スイッチ１７のＯＦＦ／ＯＮが繰り返されても、複写機１を安全に立ち上げることが可能となる。また、本実施形態の複写機１は、新たなスイッチを追加する必要なく、装置を安全に立ち上げることが可能となるため、装置コストの上昇を防ぐことが可能となる。
【００３８】
また、本実施形態の複写機１は、ステップＳ３−６において、ＣＰＵ１０により、その回数Ｉが所定の閾値（例えば、３回）未満でないと判定される場合には（Ｓ３−６ＮＯ）、ヒータ１８１に電力が供給されることなく、自己診断モードは行われずに、ステップＳ３−７において、ＣＰＵ１０により、操作表示部１３にサーミスタ１８２の断線エラーが表示される構成であるが、装置電源のＯＦＦ／ＯＮが繰り返されても、自己診断モードは行われないため、ヒータ１８１の温度が上昇することなく、ユーザにサーミスタ１８２の断線を知らせることができる。
【００３９】
なお、上記の実施形態では、サーミスタ１８２およびヒータ１８１が定着ローラ１８３に備えられている場合を例に挙げて説明を行ったが、サーミスタおよびヒータの取り付け位置や数について本発明の構成に限定されるものではなく、サーミスタおよびヒータは、温度制御が必要なその他の装置部品にそれぞれ備えられて、上記の実施形態と同様な制御が実施されてもよい。
【００４０】
なお、上記の実施形態では、複写機１を例に挙げて説明を行ったが、本発明の構成はこれに限定されるものではなく、プリンタやファクシミリなどの画像形成装置にも広く適用することが可能である。
【００４１】
また、本発明の構成は、上記実施形態のほか、発明の主旨を逸脱しない範囲で種々の変更を加えることが可能である。
【産業上の利用可能性】
【００４２】
本発明は、複写機の他にも、プリンタやファクシミリなどの画像形成装置全般に広く適用が可能であり、サーミスタの断線検知後における安全な装置立ち上げに有用な技術である。
【図面の簡単な説明】
【００４３】
【図１】は、本発明に係る複写機の要部構成を示すブロック図である。
【図２】は、本発明に係る複写機の要部構造を模式的に示す縦断面図である。
【図３】は、本実施形態の複写機における電源投入時の自己診断モードのフローチャートである。
【符号の説明】
【００４４】
１    複写機
１０    中央演算処理装置（ＣＰＵ）
１１    原稿搬送部
１２    原稿取込部
１３    操作表示部
１４    用紙搬送部
１４１ａ〜１４１ｃ    用紙収納部
１４２    給紙部
１４２ａ    レジストローラ
１４２ｂ    給紙ローラ
１４３    排出ローラ
１５    画像形成部
１５１    感光ドラム
１５２    現像器
１５３    露光ユニット
１５４    帯電器
１５５    除電器
１５６    クリーニング部
１５７    転写ローラ
１６    ファン
１７    電源スイッチ
１８    定着部
１８１    ヒータ
１８２    サーミスタ
１８３    定着ローラ
１８４    加圧ローラ
１９    アナログ・デジタル変換部（Ａ／Ｄ部）
２０    メモリ部
２０１    ＲＯＭ
２０２    ＲＡＭ
２０３    ＥＥＰＲＯＭ
【図１】
0004772405.tif 000002
【図２】
0004772405.tif 000003
【図３】
0004772405.tif 000004